(57)【要約】【課題】  個人情報を入力する手間を省き、低コストかつ小さな記憶容量でポイント管理を行うことができる店頭端末装置及びプログラムを提供する。【解決手段】  店頭端末装置５０は、画像データ及びポイント情報を累積した累積ポイント情報を記憶したデジタルカメラ１０に記憶された画像データに対して写真プリントサービスなどの主サービスを提供したときに、主サービスに応じたポイント情報を生成し、生成されたポイント情報及びデジタルカメラに記憶された累積ポイント情報の少なくとも一方に基づいて提供可能な副サービスを提示し、該提示した副サービスのうち要求があった副サービスを提供する。副サービスを提供したときには提供した副サービスに応じたポイント情報を減算した残存ポイント情報をデジタルカメラ１０に記憶するように制御し、副サービスを提供しないときには生成されたポイント情報を累積してデジタルカメラ１０に記憶するように制御する。【選択図】  図１
2006040208.tif 000002
【特許請求の範囲】
【請求項１】
画像データ及びポイント情報を累積した累積ポイント情報を記憶する記憶部を備えた機器に記憶された画像データに対して主サービスを提供する主サービス提供手段と、
提供した前記主サービスに応じたポイント情報を生成する情報生成手段と、
前記生成されたポイント情報及び前記記憶部に記憶された累積ポイント情報の少なくとも一方に基づいて提供可能な副サービスを提示し、該提示した副サービスのうち要求があった副サービスを提供する副サービス提供手段と、
副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御手段と、
を含む店頭端末装置。
【請求項２】
画像データ及びポイント情報を累積した累積ポイント情報を記憶する記憶部を備えた機器に記憶された画像データに対して主サービスを提供する主サービス提供手段と、
提供した前記主サービスに応じたポイント情報を生成する情報生成手段と、
副サービスの要求があったときに、前記生成されたポイント情報及び前記記憶部に記憶された累積ポイント情報の少なくとも一方に基づいて、要求があった副サービスを提供する副サービス提供手段と、
副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御手段と、
を含む店頭端末装置。
【請求項３】
前記機器は、デジタルカメラ、カメラ付携帯電話を含むカメラ付情報端末、及び可搬型メモリのいずれか１つである請求項１または請求項２記載の店頭端末装置。
【請求項４】
前記主サービスは、写真プリントサービスまたは記録媒体への記録サービスである請求項１乃至請求項３のいずれか１項記載の店頭端末装置。
【請求項５】
前記副サービスは、前記機器で動作するアプリケーションプログラムの提供、写真プリント無料サービスの提供、及びサービス商品の提供のいずれか１つである請求項１乃至請求項４のいずれか１項記載の店頭端末装置。
【請求項６】
コンピュータに、
画像データ及びポイント情報を累積した累積ポイント情報を記憶する記憶部を備えた機器に記憶された画像データに対して主サービスを提供する主サービス提供工程と、
提供した前記主サービスに応じたポイント情報を生成する情報生成工程と、
前記生成されたポイント情報及び前記記憶部に記憶された累積ポイント情報の少なくとも一方に基づいて提供可能な副サービスを提示し、該提示した副サービスのうち要求があった副サービスを提供する副サービス提供工程と、
副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御工程と、
を実行させるためのプログラム。
【請求項７】
コンピュータに、
画像データ及びポイント情報を累積した累積ポイント情報を記憶する記憶部を備えた機器に記憶された画像データに対して主サービスを提供する主サービス提供工程と、
提供した前記主サービスに応じたポイント情報を生成する情報生成工程と、
副サービスの要求があったときに、前記生成されたポイント情報及び前記記憶部に記憶された累積ポイント情報の少なくとも一方に基づいて、要求があった副サービスを提供する副サービス提供工程と、
副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御工程と、
を実行させるためのプログラム。
【発明の詳細な説明】
【技術分野】
【０００１】
本発明は、画像データに対してサービスが提供されたときに、該サービスに応じたポイントを発行する店頭端末装置及びプログラムに関する。
【背景技術】
【０００２】
近年、ＣＣＤ（電荷結合素子）、ＣＭＯＳイメージ・センサ等の撮像素子を搭載したデジタルカメラで撮影を行った後、撮影データを記録した記録メディアをデジタルカメラ・プリント・サービスの取扱店（サービス取扱店）に持ち込み、該取扱店の店頭に設置されている店頭端末装置から写真プリントとして出力するユーザが増加している。
【０００３】
また、サービス取扱店において、ユーザのプリント枚数に応じて、該サービス取扱店での各種サービスや物品と交換することができるポイントを発行するシステムを導入するケースが増加している。
【０００４】
ポイントを発行するサービスに関する技術としては、小売店が顧客に対して発行したポイント情報または顧客が小売店で使用したポイント情報を、小売店識別情報及び顧客識別情報と共に小売店から受信して記憶し、小売店毎に集計したポイントを顧客に提供することができるポイントサービス提供方法が知られている（例えば、特許文献１参照。）。
【０００５】
また、デジタルカメラで撮影した画像データをプリントする写真プリント販売機において、ユーザの個人情報を会員カードの記憶部に書込み、会員証として出力すると共に、ユーザのプリント枚数に応じたポイントを積算した蓄積ポイントを会員カードの記憶部に記憶させる写真プリント販売機が知られている（例えば、特許文献２参照。）。
【特許文献１】特開２００２−３３４３７８号公報
【特許文献２】特開２００３−５１０６４号公報
【発明の開示】
【発明が解決しようとする課題】
【０００６】
しかしながら、上述した従来の技術では、ポイントを管理するために、予めユーザに個人情報（顧客識別情報）を入力させ、入力された個人情報とリンクさせてポイントを管理するため、手間がかかると共に、情報を記憶するためのより大きなメモリ容量が必要となる。また会員証を発行する装置では、会員証発行のためのコストがかかる。
【０００７】
本発明は、上記問題を解決すべく成されたもので、個人情報を入力する手間を省き、低コストかつ小さな記憶容量でポイント管理を行うことができる店頭端末装置及びプログラムを提供することを目的とする。
【課題を解決するための手段】
【０００８】
上記目的を達成するために、第１の発明の店頭端末装置は、画像データ及びポイント情報を累積した累積ポイント情報を記憶する記憶部を備えた機器に記憶された画像データに対して主サービスを提供する主サービス提供手段と、提供した前記主サービスに応じたポイント情報を生成する情報生成手段と、前記生成されたポイント情報及び前記記憶部に記憶された累積ポイント情報の少なくとも一方に基づいて提供可能な副サービスを提示し、該提示した副サービスのうち要求があった副サービスを提供する副サービス提供手段と、副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御手段と、を含んで構成されている。
【０００９】
第１の発明の店頭端末装置の主サービス提供手段は、画像データ及びポイント情報を累積した累積ポイント情報を記憶する記憶部を備えた機器に記憶された画像データに対して主サービスを提供する。記憶部は、１つの記憶部により構成されていてもよいし、画像データを記憶する記憶部と累積ポイントを記憶する記憶部とにより構成されていてもよい。後者の構成とする場合には、画像データを記憶する記憶部が、機器に対して着脱可能に設けられていても良い。
【００１０】
なお、ポイントは、後述する副サービスと交換することができるポイントであって、ポイント情報は、ポイントを示す情報である。
【００１１】
主サービス提供手段により、主サービスを提供した場合には、生成手段が、該提供した主サービスに応じたポイント情報を生成する。例えば、主サービスが写真プリントサービスである場合には、プリントした枚数に応じてポイント情報を生成することができる。
【００１２】
副サービス提供手段は、生成手段により生成されたポイント情報及び機器の記憶部に記憶された累積ポイント情報の少なくとも一方に基づいて提供可能な副サービスを提示し、該提示した副サービスのうち要求があった副サービスを提供する。
【００１３】
制御手段は、副サービス提供手段により副サービスを提供しないときには生成されたポイント情報を累積して機器の記憶部に記憶するように制御すると共に、副サービスを提供したときには提供した副サービスに応じたポイント情報を減算した残存ポイント情報を機器の記憶部に記憶するように制御する。
【００１４】
これにより、累積ポイント情報を記憶するのは機器側であるため、店頭端末装置や他のサーバ等でポイントを管理する必要がなくなる。これにより、個人情報などを入力する手間を省くことができると共に、小さな記憶容量でポイント管理することができる。また、会員証等を発行する必要がないため、低コストでポイントを管理することができる。
【００１５】
また、第２の発明の店頭端末装置は、画像データ及びポイント情報を累積した累積ポイント情報を記憶する記憶部を備えた機器に記憶された画像データに対して主サービスを提供する主サービス提供手段と、提供した前記主サービスに応じたポイント情報を生成する情報生成手段と、副サービスの要求があったときに、前記生成されたポイント情報及び前記記憶部に記憶された累積ポイント情報の少なくとも一方に基づいて、要求があった副サービスを提供する副サービス提供手段と、副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御手段と、を含んで構成されている。
【００１６】
第２の発明の店頭端末装置の副サービス提供手段は、副サービスの要求があったときに、生成手段で生成されたポイント情報及び機器の記憶部に記憶された累積ポイント情報の少なくとも一方に基づいて、要求があった副サービスを提供する。この店頭端末装置では、ユーザから副サービスの要求があったときに、該副サービスが提供可能か否かを判断して、提供可能であると判断した場合に副サービスを提供するようにすることができる。
【００１７】
このような構成によっても、累積ポイント情報を記憶するのは機器側であるため、店頭端末装置や他のサーバ等でポイントを管理する必要がなくなる。これにより、個人情報などを入力する手間を省くことができると共に、小さな記憶容量でポイント管理することができる。また、会員証等を発行する必要がないため、低コストでポイントを管理することができる。
【００１８】
なお、機器は、デジタルカメラ、カメラ付携帯電話を含むカメラ付情報端末、及び可搬型メモリのいずれか１つとすることができる。
【００１９】
また、主サービスは、写真プリントサービスまたは記録媒体への記録サービスとすることができる。また、副サービスは、前記機器で動作するアプリケーションプログラムの提供、写真プリント無料サービスの提供、及びサービス商品の提供のいずれか１つとすることができる。
【００２０】
第３の発明のプログラムは、コンピュータに、画像データ及びポイント情報を累積した累積ポイント情報を記憶する記憶部を備えた機器に記憶された画像データに対して主サービスを提供する主サービス提供工程と、提供した前記主サービスに応じたポイント情報を生成する情報生成工程と、前記生成されたポイント情報及び前記記憶部に記憶された累積ポイント情報の少なくとも一方に基づいて提供可能な副サービスを提示し、該提示した副サービスのうち要求があった副サービスを提供する副サービス提供工程と、副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御工程と、を実行させる。
【００２１】
第３の発明のプログラムも、第１の発明の店頭端末装置と同様に作用するため、店頭端末装置や他のサーバ等でポイントを管理する必要がなくなる。これにより、個人情報などを入力する手間を省くことができると共に、小さな記憶容量でポイント管理することができる。また、会員証等を発行する必要がないため、低コストでポイントを管理することができる。
【００２２】
第４の発明のプログラムは、コンピュータに、画像データ及びポイント情報を累積した累積ポイント情報を記憶する記憶部を備えた機器に記憶された画像データに対して主サービスを提供する主サービス提供工程と、提供した前記主サービスに応じたポイント情報を生成する情報生成工程と、副サービスの要求があったときに、前記生成されたポイント情報及び前記記憶部に記憶された累積ポイント情報の少なくとも一方に基づいて、要求があった副サービスを提供する副サービス提供工程と、副サービスを提供しないときには生成されたポイント情報を累積して前記記憶部に記憶するように制御すると共に、副サービスを提供したときには提供した副サービスに応じたポイント情報を減算した残存ポイント情報を前記記憶部に記憶するように制御する制御工程と、を実行させる。
【００２３】
第４の発明のプログラムも、第２の発明の店頭端末装置と同様に作用するため、店頭端末装置や他のサーバ等でポイントを管理する必要がなくなる。これにより、個人情報などを入力する手間を省くことができると共に、小さな記憶容量でポイント管理することができる。また、会員証等を発行する必要がないため、低コストでポイントを管理することができる。
【発明の効果】
【００２４】
以上説明したように第１〜第４の発明によれば、個人情報を入力する手間を省き、低コストかつ小さな記憶容量でポイント管理を行うことができる、という優れた効果を奏する。
【発明を実施するための最良の形態】
【００２５】
以下、本発明の実施の形態の店頭端末装置を用いたプリントサービスシステムを説明する。このプリントサービスシステムでは、ユーザがデジタルカメラ等で撮影した画像を店頭端末装置で写真プリント（本発明の主サービスに相当）すると、店頭端末装置からプリント枚数に応じてポイントが付与される。ここで付与されたポイントや蓄積しておいたポイントに応じて様々なサービス（本発明の副サービスに相当）が提供される。なお、以下では、ポイントを示す情報をポイント情報と呼称し、ポイント情報を累積したものを累積ポイント情報と呼称する。
【００２６】
以下、図面を参照して、更に詳細にこのプリントサービスシステムについて説明する。
【００２７】
図１に示されるように、このプリントサービスシステム１は、デジタルカメラ１０及び店頭端末装置５０を含んで構成されている。デジタルカメラ１０は、不特定多数のユーザにより所有され使用されるものである。一方、店頭端末装置５０は、コンビニエンス・ストアやＤＰＥ（Develop Print Enlargement）店等の多店舗展開を特徴とする店舗等の店頭に設置されている。
【００２８】
店頭端末装置５０には、デジタルカメラ１０を接続するためのＵＳＢケーブル等で構成されたインタフェースケーブル７６が、デジタルカメラ１０を接続するためのコネクタを外部に露出させた状態で設けられている。作成した写真プリントは写真プリント・トレイ７４から外部に排出される。
【００２９】
なお、インタフェースケーブル７６では、写真プリントするための画像データが伝送されるだけでなく、ポイント情報や店頭端末装置５０で提供されるサービスの１つとしてのアプリケーションプログラム等も伝送される。
【００３０】
また、店頭端末装置５０には、各種メニュー画面や各種情報を表示したり、ユーザが指先でボタンに接触してメニュー項目や各種情報を指定することができるタッチパネルディスプレイ５６が設けられている。また、店頭端末装置５０には、タッチパネルディスプレイ５６の他、各種情報を入力するためのテンキーを含んで構成された操作部６０が設けられている。
【００３１】
次に、図２を参照して、デジタルカメラ１０の電気系の主要構成について説明する。
【００３２】
図２に示されるように、デジタルカメラ１０には、光学レンズ１２と、光学レンズ１２を介して被写体を撮像して被写体像を示すＲ、Ｇ、Ｂ３色のカラーアナログ画像信号を出力する撮像素子としてのＣＣＤ１６とが設けられている。
【００３３】
ＣＣＤ１６には、ＣＣＤ１６から入力された画像信号に対して所定のアナログ信号処理を施すアナログ信号処理部１８と、アナログ信号処理部１８から入力されたアナログ信号をそれぞれデジタル信号に変換するアナログ／デジタル変換器（以下、「Ａ／Ｄ変換器」という。）２０とが順に接続されている。
【００３４】
Ａ／Ｄ変換器２０から出力されたデジタル信号（Ｒ、Ｇ、Ｂ信号のデジタル値）は、制御部４０（詳細は後述）に入力されると共に、デジタル信号処理回路２６に入力される。デジタル信号処理回路２６は、ホワイトバランス調整処理や、ガンマ処理などの各種デジタル信号処理を行う。デジタル信号処理回路２６から出力されたデジタル信号は、画像を表示するために液晶ディスプレイ２８に出力されたり、記録メディアインタフェース（Ｉ／Ｆ）３２を介して、ＳＤカードやコンパクトフラッシュ（登録商標）等の可搬型のメモリカード３４のメモリに記録される。
【００３５】
更にデジタルカメラ１０には、光学レンズ１２を駆動するための駆動部２２、ＣＣＤ１６に対する撮影時のタイミング制御を行うＣＣＤ制御部２４、シャッタスイッチ等の操作部３０、及びデジタルカメラ１０を店頭端末装置５０のインタフェースケーブル７６に接続するための入出力インタフェース（Ｉ／Ｆ）３６が設けられている。
【００３６】
制御部４０は、ＣＰＵ（中央演算処理装置）４２と、不揮発性メモリであるフラッシュＲＯＭ４４と、揮発性メモリであるワークメモリ４８とにより構成され、デジタルカメラ１０全体の動作を制御する。
【００３７】
フラッシュＲＯＭ４４には、被写体を撮影するための撮影処理等を実行するためのプログラムや、店頭端末装置５０から入力されたポイント情報を記憶するためのプログラム等を含む各種プログラムが記憶されている。また、フラッシュＲＯＭ４４には、累積ポイント情報を記憶するためのポイント記憶領域４４ａが設けられている。
【００３８】
次に、図３を参照して、店頭端末装置５０の電気系の主要構成について説明する。
【００３９】
同図に示すように、この店頭端末装置５０は、店頭端末装置５０全体の動作を司る制御部７０が備えられている。制御部７０は、ＣＰＵ５１と、ワークメモリとしてのＳＤＲＡＭ５２と、後述するポイントサービス処理ルーチンを含む各種プログラムを記憶したフラッシュＲＯＭ５３とにより構成されている。さらに、店頭端末装置５０には、各種情報を記憶するＨＤＤ５４、前述したタッチパネルディスプレイ５６、写真プリントを作成するプリント部５８、操作部６０、及び入出力インタフェース（Ｉ／Ｆ）６２が備えられており、これらは制御部７０と電気的に接続されている。なお、入出力Ｉ／Ｆ６２は、前述したインタフェースケーブル７６に接続され、デジタルカメラ１０との間で各種データの授受を行う。
【００４０】
以下、図４のフローチャートを用いて、本実施の形態の店頭端末装置５０のＣＰＵ５１によるポイントサービス処理ルーチンの詳細を説明する。なお、ここでは、店頭端末装置５０に接続される機器がデジタルカメラ１０の場合を例に挙げて説明する。
【００４１】
まず、店頭端末装置５０では、写真プリントを開始するためのボタンを含む初期画面がタッチパネルディスプレイ５６に表示された状態で待機し、ステップ１００で、写真プリントを開始するためのボタンがユーザにより接触指定されたときに、写真プリントが指示されたと判断して、ステップ１０２に移行し、画像データを記憶した機器（ここではデジタルカメラ１０）を店頭端末装置５０に接続するように促すメッセージをタッチパネルディスプレイ５６に表示する。
【００４２】
ステップ１０４では、デジタルカメラ１０が接続されたか否かを判断する。デジタルカメラ１０が接続されたと判断した場合には、ステップ１０６で、接続されたデジタルカメラ１０から画像データを読み出し、プリント部５８で該画像データに基づいて写真プリントを作成して出力する。具体的には、デジタルカメラ１０に装着されたメモリカード３４から画像データを読み出して、写真プリントを出力する。ここでは、読み出した画像データの全てを写真プリントしてもよいし、読み出した画像データの画像をタッチパネルディスプレイ５６に表示し、ユーザから指定された画像のみをプリントするようにしてもよい。また、タッチパネルディスプレイ５６や操作部６０から、各画像データ毎にプリント枚数を指定することもできる。
【００４３】
ステップ１０６でプリント処理が行われた後、ステップ１０８で、プリント枚数に応じて獲得ポイントを算出（すなわち、獲得ポイント情報を生成）して表示する。
【００４４】
ステップ１１０では、デジタルカメラ１０のフラッシュＲＯＭ４４のポイント記憶領域４４ａに記憶されている累積ポイント情報を読み出す。
【００４５】
ステップ１１２では、デジタルカメラ１０から読み出した累積ポイント情報が示すポイントに上記算出した獲得ポイント情報が示すポイントを加算して、現在の累積ポイントを算出する。
【００４６】
ステップ１１４では、算出した累積ポイントと、累積ポイント以内で提供可能なサービス（副サービス）、例えば、デジタルカメラ１０で動作するアプリケーションプログラムの提供サービス、写真プリント無料サービス、サービス商品の提供サービス等のサービスの一覧をタッチパネルディスプレイ５６に表示する。店頭端末装置５０には、ポイントに応じて、提供可能なサービスの内容が予め設定されており、該設定に基づいてサービスの一覧が表示される。ユーザは、該表示されたサービスの中からいずれかを選択することができる。
【００４７】
ステップ１１６では、ユーザによりサービスが選択されたか否かを判断する。サービスが選択されたと判断した場合には、ステップ１１８で、選択されたサービスを提供する。例えば、デジタルカメラ１０で動作するアプリケーションプログラムの提供サービスが選択された場合には、アプリケーションプログラムをインタフェースケーブル７６を介して機器に伝送する。
【００４８】
なお、このアプリケーションプログラムとしては、例えばデジタルカメラ１０の初期設定されている起動画面をオリジナルのデザインの起動画面に変更するようなプログラムであってもよいし、メニュー画面をオリジナルのデザインのメニュー画面に変更するようなプログラムであってもよい。また、多種類用意された起動画面やメニュー画面の中から、ユーザに所望の画面を選択させ、選択した画面に変更するようなプログラムをデジタルカメラ１０に伝送するようにしてもよい。
【００４９】
ステップ１２０では、現在の累積ポイントから提供したサービスに応じたポイントを減算した残存ポイントを現在の累積ポイントとして算出（すなわち、残存ポイント情報を生成）する。
【００５０】
ステップ１２０の処理後は、ステップ１１４に戻り、現在の累積ポイントと、現在の累積ポイントで提供可能なサービスを表示する。これ以降は、上述した処理を繰り返して実行する。
【００５１】
なお、ステップ１１６で、ユーザがサービスを選択しなかった場合には、ステップ１２２に以降し、接続されているデジタルカメラ１０のフラッシュＲＯＭ４４のポイント記憶領域４４ａに記憶されている累積ポイントが現在の累積ポイントとなるよう書き換える。具体的には、店頭端末装置５０から、デジタルカメラ１０に対して上記ステップ１２０で算出した現在の累積ポイント情報と書き換え指示情報とを送信する。デジタルカメラ１０の動作は後述する。
【００５２】
ステップ１２４では、店頭端末装置５０のインタフェースケーブル７６に接続されているデジタルカメラ１０をはずすように促すメッセージをタッチパネルディスプレイ５６に表示してポイントサービス処理ルーチン終了する。
【００５３】
次に図５を参照しながら、本実施の形態のデジタルカメラ１０のＣＰＵ４２によるポイント書換え処理ルーチンの詳細を説明する。
【００５４】
ステップ２００では、店頭端末装置５０からポイントの書換え指示情報及び累積ポイント情報が入力されたか否かを判断し、これら情報が入力された場合には、ステップ２０２で、ポイントの書換え指示情報に基づいてフラッシュＲＯＭ４４のポイント記憶領域４４ａに記憶されている累積ポイント情報を、入力された累積ポイント情報に書換える。
【００５５】
以上説明したように、ポイントを管理する（記憶する）のは画像データを記憶する機器側であるため、店頭端末装置５０や他のサーバ等でポイントを管理する必要がなくなる。これにより、個人情報などを入力する手間を省くことができると共に、小さな記憶容量でポイント管理することができる。また、会員証等を発行する必要がないため、低コストでポイントを管理することができる。
【００５６】
なお、上述した実施の形態では、デジタルカメラ１０のＣＰＵ４２が、ポイントの書換え指示情報に基づいてポイント記憶領域４４ａの累積ポイント情報を書き換える例について説明したが、店頭端末装置５０のＣＰＵ５１が直接デジタルカメラ１０のポイント記憶領域４４ａの累積ポイント情報を書き換えるようにしてもよい。
【００５７】
また、上述した実施の形態では、画像データを記憶すると共に累積ポイントを記憶する機器をデジタルカメラ１０とし、デジタルカメラ１０をインタフェースケーブル７６のコネクタに接続して画像データやポイント情報を伝送する例について説明したが、これに限定されず、例えば、画像データを記憶すると共に累積ポイントを記憶する機器はカメラ付携帯電話であってもよいし、メモリカード３４などの可搬型メモリであってもよい。画像データやポイント情報の伝送方法についても、インタフェースケーブル７６に代えてクレードル等を用いて伝送するようにしてもよいし、無線や赤外線などの非接触通信により伝送するようにしてもよい。なお、上記機器を可搬型メモリとする場合には、店頭端末装置５０に、例えば、可搬型メモリを接続するための記録メディアＩ／Ｆを設け、記録メディアＩ／Ｆを介して画像データやポイント情報を伝送するようにしてもよい。なお、可搬型メモリを用いる場合には、店頭端末装置５０のＣＰＵ５１が累積ポイント情報を直接書き換えるように構成する。
【００５８】
さらにまた、上述した実施の形態では、機器から読み出した累積ポイントと獲得ポイントとを加算した現在の累積ポイント以内で提供可能な副サービスを表示し、該表示した副サービスからユーザにより所望の副サービスが選択された場合に、選択された副サービスを提供する例について説明したが、累積ポイントに拘わらず、全ての副サービス一覧を表示し、ユーザにより副サービスの１つが選択されたときに、現在の累積ポイントで提供可能か否かを判断して、提供可能なサービスのみを提供するようにしてもよい。
【００５９】
図６に、ユーザに選択されたサービスが提供可能なサービスか否かを判断して、提供可能と判断した副サービスを提供するポイントサービス処理ルーチンのフローチャートを示す。なお、図６において、図４と同一もしくは同等のステップには同じ記号を付し、その説明を省略する。
【００６０】
ステップ１１２で、現在の累積ポイントを算出した後、ステップ１１３で、全ての副サービス一覧を表示する。その後、ステップ１１６でユーザにより表示された一覧の中からサービスが選択されたか否かを判断し、選択された場合には、ステップ１１７で、選択されたサービスが現在の累積ポイントで提供可能であるか否かを判断する。選択されたサービスが累積ポイント以内で提供可能なサービスであると判断した場合には、ステップ１１８に移行し、選択されたサービスを提供する。選択されたサービスを提供するには現在の累積ポイント以上のポイントが必要であり、提供不可能であると判断した場合には、ステップ１２６で提供不可能である旨をタッチパネルディスプレイ５６に表示してステップ１１３に戻る。
【００６１】
このような処理ルーチンであっても、上記実施の形態と同様の効果が得られる。
【００６２】
また、上述した実施の形態では、デジタルカメラ１０のフラッシュＲＯＭ４４の所定の記憶領域をポイント記憶領域４４ａとして累積ポイント情報を記憶するようにしたが、デジタルカメラ１０に累積ポイント情報を記憶するための不揮発性メモリを別途設け、該不揮発性メモリに累積ポイント情報を記憶することもできる。
【００６３】
また、上述した実施の形態では、デジタルカメラ１０に現在の累積ポイント情報（残存ポイント情報）を送信することによりポイント記憶領域４４ａに記憶されている累積ポイント情報を書換える例について説明したが、これに限定されず、例えば、デジタルカメラ１０に記憶されている累積ポイント情報と、現在の累積ポイント情報との差分を示す情報（差分情報）だけを送信し、デジタルカメラ１０側で該差分情報を用いて現在の累積ポイントを算出してポイント記憶領域４４ａの累積ポイント情報を書き換えるようにしてもよい。
【００６４】
なお、この差分情報は、ユーザがステップ１１６でサービスを全く選択しなかった場合には、獲得ポイントそのものを示す情報となり、ステップ１１６で何らかのサービスを選択してサービスを受けた場合には、ポイント記憶領域４４ａに記憶されている累積ポイント情報と残存ポイント情報との差分を示す情報となる。
【００６５】
また、機器に記憶された累積ポイント情報が不正に改竄されないように、暗号化された累積ポイント情報が機器に記憶されるようにしてもよい。例えば、店頭端末装置５０で累積ポイント情報を暗号化し、該暗号化された累積ポイント情報を機器側でそのまま記憶し、暗号化された累積ポイント情報だけが副サービスと交換されるように構成すれば、ユーザが不正に累積ポイント情報を改竄することを防止できる。
【００６６】
なお、主サービスとして、上記実施の形態では、写真プリントサービスを例に挙げて説明したが、これに限定されず、例えば、画像データをＣＤ−ＲＯＭ等の記録媒体に記録する記録サービスであってもよい。
【００６７】
また、上述した実施の形態では、累積ポイント以内で提供可能な副サービスの一覧を表示してユーザに選択させる例について説明したが、これに限定されず、例えば、まず、写真プリントを出力したときに（主サービスを行ったときに）、該写真プリント枚数に応じて算出した獲得ポイントだけで提供可能な副サービスを表示してユーザに選択させるようにしてもよい。さらに、提供可能なサービスが存在しなかった場合に、該獲得ポイントと機器側に記憶されていた累積ポイントを加算して得られた累積ポイント以内で提供可能な副サービスを表示するようにしてもよい。図６で示したポイントサービス処理ルーチンでも同様に、獲得ポイントだけでユーザが選択した副サービスが提供可能かを判断して、副サービスを提供するようにしてもよい。さらに、選択した副サービスが提供不可能であると判断した場合には、該獲得ポイントと機器側に記憶されていた累積ポイントを加算して得られた累積ポイント以内で提供可能か否かを判断して、副サービスを提供するようにしてもよい。
【図面の簡単な説明】
【００６８】
【図１】本発明の実施の形態の店頭端末装置を用いたプリントサービスシステムの概略的な構成を示す図である。
【図２】デジタルカメラの電気系の主要構成を示す図である。
【図３】店頭端末装置の電気系の主要構成を示す図である。
【図４】店頭端末装置のＣＰＵによるポイントサービス処理ルーチンを示すフローチャートである。
【図５】デジタルカメラのＣＰＵによるポイント書換え処理ルーチンを示すフローチャートである。
【図６】店頭端末装置のＣＰＵによるポイントサービス処理ルーチンの他の例を示すフローチャートである。
【符号の説明】
【００６９】
１  プリントサービスシステム
１０  デジタルカメラ
３４  メモリカード
３６  入出力インタフェース
４０  制御部
４４  フラッシュＲＯＭ
４４ａ  ポイント記憶領域
５０  店頭端末装置
５８  プリント部
６２  入出力インタフェース
６４  記録メディアインタフェース
７０  制御部
７６  インタフェースケーブル
【図１】
2006040208.tif 000003
【図２】
2006040208.tif 000004
【図３】
2006040208.tif 000005
【図４】
2006040208.tif 000006
【図５】
2006040208.tif 000007
【図６】
2006040208.tif 000008